(57)【特許請求の範囲】
【請求項１】
圧縮機および熱交換器を収容するケーシングと、
前記ケーシングの側面より内側に配置され、室内機からの電源線が接続される端子台を有する端子台取付け板と、
前記ケーシング内に配置され、前記端子台取付け板と対向するとともに背面側に近づく
につれて前記端子台取付け板との距離が狭くなるように傾斜する制御基板とを備え、
前記制御基板は、前記端子台取付け板と対向する部分に配置されたハーネス接続部を有し、
前記端子台取付け板が、前記制御基板から離れるように回動可能に構成されることを特
徴とする室外機。
【請求項２】
前記端子台取付け板が、前記制御基板と対向しない位置まで回動可能に構成されること
を特徴とする請求項１に記載の室外機。
【請求項３】
前記端子台取付け板が、その上端部近傍にある支持板の回動支持部の周りを回動し且つ前記支持板に自立可能に構成され、
前記端子台取付け板の下端部が前記制御基板から離れるように回動することを特徴とする請求項１または２に記載の室外機。
【請求項４】
前記制御基板の強電部が室外機の前面側に配置され、前記制御基板の弱電部が室外機の
背面側に配置されることを特徴とする請求項１−３のいずれかに記載の室外機。
【発明の詳細な説明】
【技術分野】
【０００１】
本発明は、空気調和機の室外機に関する。
【背景技術】
【０００２】
空気調和機の室外機の内部には、圧縮機や熱交換器が配置されるとともに、圧縮機や電
動弁などを制御する制御基板が配置される。室外機は、室内機からの電源線が接続される
端子台を有しており、その端子台は、室外機の側面近傍に配置された端子台取付け板に取
り付けられる。従来の室外機では、制御基板が水平に配置されるのが一般的である。
【先行技術文献】
【特許文献】
【０００３】
【特許文献１】特開２００３−２９４２７１
【発明の概要】
【発明が解決しようとする課題】
【０００４】
室外機の熱交換器の側方において、制御基板を鉛直方向に沿って配置するとともに、端
子台取付け板を制御基板に対して平行に配置することが考えられる。この室外機において
熱交換効率を向上させるために熱交換器を大型化することが考えられるが、このとき、熱
交換器の側方に配置される制御基板の配置空間が小さくなって、制御基板を端子台取付け
板に対して斜めに配置されることがある。したがって、室外機内部の背面側において、制
御基板と端子台取付け板との間の距離が狭くなって、室外機の前面側から制御基板に対す
るハーネスの接続作業を行うときの作業性が悪いという問題がある。
【０００５】
そこで、本発明の目的は、組み立て時における制御基板に対するハーネスの接続作業が
容易である室外機を提供することである。
【課題を解決するための手段】
【０００６】
第１の発明にかかる室外機は、圧縮機および熱交換器を収容するケーシングと、前記ケーシングの側面より内側に配置され、室内機からの電源線が接続される端子台を有する端子台取付け板と、前記ケーシング内に配置され、前記端子台取付け板と対向するとともに背面側に近づくにつれて前記端子台取付け板との距離が狭くなるように傾斜する制御基板とを備え、前記制御基板は、前記端子台取付け板と対向する部分に配置されたハーネス接続部を有し、前記端子台取付け板が、前記制御基板から離れるように回動可能に構成されることを特徴とする。
【０００７】
この室外機では、組み立て時において、室外機の前面側から制御基板に対するハーネス
の接続作業を行うときに、端子台取付け板を制御基板から離れるように回動させることに
よって、制御基板と端子台取付け板との間の距離が大きくなるか、または、端子台取付け
板が制御基板と対向しなくなる。したがって、組み立て時における制御基板に対するハー
ネスの接続作業が容易である。
【０００８】
第２の発明にかかる室外機は、第１の発明にかかる室外機において、前記端子台取付け
板が、前記制御基板と対向しない位置まで回動可能に構成されることを特徴とする。
【０００９】
この室外機では、組み立て時において、室外機の前面側から制御基板に対するハーネス
の接続作業を行うときに、端子台取付け板を制御基板と対向しない位置まで回動させるこ
とによって、組み立て時における制御基板に対するハーネスの接続作業を効率よく行える
。
【００１０】
第３の発明にかかる室外機は、第１または第２の発明にかかる室外機において、前記端子台取付け板が、その上端部近傍にある支持板の回動支持部の周りを回動し且つ前記支持板に自立可能に構成され、前記端子台取付け板の下端部が前記制御基板から離れるように回動することを特徴とする。
【００１１】
この室外機では、端子台取付け板を制御基板から離れるように回動させるには、端子台
取付け板の回動方向に配管などの部材が配置されない空間を設ける必要があるが、例えば
、端子台取付け板の背面側端部近傍にある略鉛直方向に沿った回転軸の周りを端子台取付
け板の前端部が制御基板から離れるように回動させる場合、端子台取付け板の回動方向に
配管などの部材が配置されており、端子台取付け板を大きく回動させることができないこ
とがある。本発明では、端子台取付け板の上端部近傍にある略水平方向に沿った回転軸の
周りを端子台取付け板の下端部が制御基板から離れるように回動するので、端子台取付け
板を大きく回動させることができる。
【００１２】
第４の発明にかかる室外機は、第１−第３のいずれかの発明にかかる室外機において、
前記制御基板の強電部が室外機の前面側に配置され、前記制御基板の弱電部が室外機の背
面側に配置されることを特徴とする。
【００１３】
この室外機では、制御基板の強電部が室外機の前面側に配置され、制御基板の弱電部が
室外機の背面側に配置されており、組み立て時において、室外機の前面側から制御基板に
対して行われるハーネスの接続作業の多くは、制御基板の弱電部に対して行われる。した
がって、室外機内部の背面側において、制御基板と端子台取付け板との間の距離が狭くな
った部分に配置された制御基板の弱電部に対するハーネスの接続作業が行われるときに、
本発明は特に有効である。
【発明の効果】
【００１４】
以上の説明に述べたように、本発明によれば、以下の効果が得られる。
【００１５】
第１の発明では、組み立て時において、室外機の前面側から制御基板に対するハーネス
の接続作業を行うときに、端子台取付け板を制御基板から離れるように回動させることに
よって、制御基板と端子台取付け板との間の距離が大きくなるか、または、端子台取付け
板が制御基板と対向しなくなる。したがって、組み立て時における制御基板に対するハー
ネスの接続作業が容易である。
【００１６】
第２の発明では、組み立て時において、室外機の前面側から制御基板に対するハーネス
の接続作業を行うときに、端子台取付け板を制御基板と対向しない位置まで回動させるこ
とによって、組み立て時における制御基板に対するハーネスの接続作業を効率よく行える
。
【００１７】
第３の発明では、端子台取付け板を制御基板から離れるように回動させるには、端子台
取付け板の回動方向に配管などの部材が配置されない空間を設ける必要があるが、例えば
、端子台取付け板の背面側端部近傍にある略鉛直方向に沿った回転軸の周りを端子台取付
け板の前端部が制御基板から離れるように回動させる場合、端子台取付け板の回動方向に
配管などの部材が配置されており、端子台取付け板を大きく回動させることができないこ
とがある。本発明では、端子台取付け板の上端部近傍にある略水平方向に沿った回転軸の
周りを端子台取付け板の下端部が制御基板から離れるように回動するので、端子台取付け
板を大きく回動させることができる。
【００１８】
第４の発明では、制御基板の強電部が室外機の前面側に配置され、制御基板の弱電部が
室外機の背面側に配置されており、組み立て時において、室外機の前面側から制御基板に
対して行われるハーネスの接続作業の多くは、制御基板の弱電部に対して行われる。した
がって、室外機内部の背面側において、制御基板と端子台取付け板との間の距離が狭くな
った部分に配置された制御基板の弱電部に対するハーネスの接続作業が行われるときに、
本発明は特に有効である。
【図面の簡単な説明】
【００１９】
【図１】本発明の実施形態に係る空気調和機の冷媒回路を示す回路図である。
【図２】（ａ）は、室外機を上方から見たケーシング概略図であり、（ｂ）は、室外機を正面から見たケーシング概略図である。
【図３】制御基板の平面図である。
【図４】端子台取付け板が回動される前の状態を示す図である。
【図５】端子台取付け板が回動した後の状態を示す図である。
【発明を実施するための形態】
【００２０】
以下、図面を参照しつつ本発明の実施形態にかかる空気調和機の室外機について説明す
る。
【００２１】
＜空気調和機の全体構成＞
本実施形態にかかる空気調和機は、図１に示すように、１台の室外機１と、６台の室内
機２とが冷媒配管によって並列に接続されるマルチタイプの空気調和機である。１台の室
外機１と６台の室内機２とは、それぞれ連絡配管３を介して接続されている。冷媒として
は、Ｒ３２冷媒が使用される。
【００２２】
室外機１は、図１に示すように、圧縮機１１と、圧縮機１１の吐出側に接続される四路
切換弁１２と、圧縮機１１の吸入側に接続されるアキュームレータ１３と、四路切換弁１
２に接続される室外熱交換器１４と、室外熱交換器１４にそれぞれ接続される電動弁１５
と、室外ファン１６とを収容している。６台の室内機２は、それぞれ室内熱交換器２ａと
、図示しない室内ファンとを収容している。
【００２３】
この空気調和機では、冷房運転、暖房運転、除湿運転などを行うことが可能である。冷
房運転および除湿運転では、図示実線矢印で示すように、圧縮機１１から吐出される冷媒
が四路切換弁１２から室外熱交換器１４、電動弁１５、室内熱交換器２ａへと順に流れ、
室内熱交換器２ａを経た冷媒が四路切換弁１２を通って圧縮機１１に戻る冷房サイクルま
たは除湿サイクルが形成される。すなわち、室外熱交換器１４が凝縮器、室内熱交換器２
ａが蒸発器として機能する。一方、暖房運転では、四路切換弁１２が切り換わることによ
り、図示破線矢印で示すように、圧縮機１１から吐出される冷媒が四路切換弁１２から室
内熱交換器２ａ、電動弁１５、室外熱交換器１４へと順に流れ、室外熱交換器１４を経た
冷媒が四路切換弁１２を通って圧縮機１１に戻る暖房サイクルが形成される。すなわち、
室内熱交換器２ａが凝縮器、室外熱交換器１４が蒸発器として機能する。
【００２４】
＜室外機の構成詳細＞
室外機１は、図２に示すように、略直方体形状のケーシング４を有しており、ケーシン
グ４内には、室外熱交換器１４および室外ファン１６などが配置される熱交換室５と、圧
縮機１１およびアキュームレータ１３などが配置される機器室６と、電子部品が実装され
た制御基板１７などが配置される電装品室７とが形成されている。
【００２５】
図２、図４および図５に示すように、電装品室７には、制御基板１７の他、制御基板１
７が固定された支持板１８と、ケーシング４の側面近傍に配置された端子台取付け板１９
が配置される。制御基板１７の上端部は、図４および図５に示すように、支持板１８の一
端部に固定されている。その支持板１８の他端部には、端子台取付け板１９が、その上端
部近傍にある回転軸の周りを回動可能に取り付けられる。端子台取付け板１９は、室内機
２からの電源線が接続される端子台１９ａを有するものである。制御基板１７は、ケーシ
ング４内において略鉛直方向に沿って配置され、端子台取付け板１９と対向するとともに
、図２（ａ）に示すように、背面側に近づくにつれて端子台取付け板１９との距離が狭く
なるように傾斜している。
【００２６】
制御基板１７は、図３に示すように、強電部１７ａと、弱電部１７ｂとを有している。
強電部１７ａは、圧縮機１１などに接続されるハーネスが接続される部分であって、弱電
部１７ｂは、電動弁１５やケーシング４内に配置されたサーミスタなどに接続されるハー
ネスが接続される部分である。制御基板１７の上端部近傍では、室外機１の前面側に強電
部１７ａが配置され、室外機１の背面側に弱電部１７ｂが配置される。制御基板１７の裏
面には、放熱フィン１７ｃが、室外ファン１６と対向するように配置される。放熱フィン
１７ｃは、制御基板１７の裏面の略全面に配置されるが、室外ファン１６に近い室外機１
の前面側において空気流速が速いので放熱能力が大きい。したがって、強電部１７ａは、
弱電部１７ｂより室外機１の前面側に配置される。
【００２７】
図４に示すように、端子台取付け板が回動される前の状態において、端子台取付け板１
９は、ケーシング４の側面と略平行に配置される。このとき、端子台取付け板１９は、支
持板１８の他端部にある回動支持部１８ａにおいて、制御基板１７から離れるように回動
可能に構成される。
【００２８】
本実施形態の室外機１では、組み立て時において、室外機１の前面側から制御基板１７
に対するハーネスの接続作業を行うときに、図５に示すように、端子台取付け板１９の下
端部が回動支持部１８ａを支点として上方に移動するように回動させて、端子台取付け板
１９を制御基板１７と対向しない位置まで回動させる。本実施形態では、端子台取付け板
１９が回動した後の状態において、端子台取付け板１９は、支持板１８の他端部に自立す
るように構成される。したがって、端子台取付け板１９を回動させた後、端子台取付け板
１９が制御基板１７と対向しない位置から移動しないように、端子台取付け板１９を持っ
て保持する必要がない。
【００２９】
＜本実施形態の室外機の特徴＞
本実施形態の室外機１では、組み立て時において、室外機１の前面側から制御基板１７
に対するハーネスの接続作業を行うときに、端子台取付け板１９を制御基板１７から離れ
るように回動させることによって、端子台取付け板１９が制御基板１７と対向しなくなる
。したがって、組み立て時における制御基板１７に対するハーネスの接続作業が容易であ
る。
【００３０】
本実施形態の室外機１では、組み立て時において、室外機１の前面側から制御基板１７
に対するハーネスの接続作業を行うときに、端子台取付け板１９を制御基板１７と対向し
ない位置まで回動させることによって、組み立て時における制御基板１７に対するハーネ
スの接続作業を効率よく行える。
【００３１】
本実施形態の室外機１では、端子台取付け板１９を制御基板１７から離れるように回動
させるには、端子台取付け板１９の回動方向に配管などの部材が配置されない空間を設け
る必要があるが、例えば、端子台取付け板１９の背面側端部近傍にある略鉛直方向に沿っ
た回転軸の周りを端子台取付け板１９の前端部が制御基板１７から離れるように回動させ
る場合、端子台取付け板１９の回動方向に配管などの部材が配置されており、端子台取付
け板１９を大きく回動させることができないことがある。本発明では、端子台取付け板１
９の上端部近傍にある略水平方向に沿った回転軸の周りを端子台取付け板の下端部１９が
制御基板１７から離れるように回動するので、端子台取付け板１９を大きく回動させるこ
とができる。
【００３２】
本実施形態の室外機１では、制御基板１７の強電部１７ａが室外機１の前面側に配置さ
れ、制御基板１７の弱電部１７ｂが室外機１の背面側に配置されており、組み立て時にお
いて、室外機１の前面側から制御基板１７に対して行われるハーネスの接続作業の多くは
、制御基板１７の弱電部１７ｂに対して行われる。したがって、室外機１内部の背面側に
おいて、制御基板１７と端子台取付け板１９との間の距離が狭くなった部分に配置された
制御基板１７の弱電部１７ｂに対するハーネスの接続作業が行われるときに、本発明は特
に有効である。
【００３３】
以上、本発明の実施形態について図面に基づいて説明したが、具体的な構成は、これら
の実施形態に限定されるものでないと考えられるべきである。本発明の範囲は、上記した
実施形態の説明ではなく特許請求の範囲によって示され、さらに特許請求の範囲と均等の
意味及び範囲内でのすべての変更が含まれる。
【００３４】
例えば、上述の実施形態では、端子台取付け板の上端部近傍にある略水平方向に沿った
回転軸の周りを端子台取付け板の下端部が制御基板から離れるように回動する場合につい
て説明したが、端子台取付け板が制御基板から離れるように回動するものであれば、回動
方向は変更してよい。したがって、例えば、端子台取付け板の背面側端部近傍にある略鉛
直方向に沿った回転軸の周りを端子台取付け板の前端部が制御基板から離れるように回動
させるものであってよい。
【００３５】
また、上述の実施形態では、端子台取付け板が制御基板と対向しない位置まで回動可能
に構成される場合について説明したが、端子台取付け板が制御基板から離れるように回動
するものであれば、端子台取付け板が制御基板と対向しない位置まで回動しないものであ
ってよい。このときでも、端子台取付け板を制御基板から離れるように回動させることに
よって、端子台取付け板と制御基板との間の距離が大きくなるので、組み立て時における
制御基板に対するハーネスの接続作業が容易である。
【００３６】
また、上述の実施形態では、制御基板の前面側に配置された強電部と、制御基板の背面
側に配置された弱電部とを有する場合について説明したが、制御基板における強電部や弱
電部の配置は変更してよい。
【００３７】
また、上述の実施形態では、マルチタイプの空気調和機において冷媒としてＲ３２冷媒
が使用される室外機について説明したが、１台の室内機だけが接続される室外機であって
よいし、冷媒はその他の冷媒であってよい。したがって、冷媒として例えばＲ４１０Ａ冷
媒が使用される室外機であってよい。
【産業上の利用可能性】
【００３８】
本発明を利用すれば、組み立て時における制御基板に対するハーネスの接続作業が容易
である。
【符号の説明】
【００３９】
１  室外機
２  室内機
４  ケーシング
１１  圧縮機
１４  熱交換器
１７  制御基板
１９  端子台
１９ａ  端子台取付け板
【図１】
0005880585.tif 000002
【図２】
0005880585.tif 000003
【図３】
0005880585.tif 000004
【図４】
0005880585.tif 000005
【図５】
0005880585.tif 000006